(57)【要約】  オーディオスピーカは、持続的に回転可能なツィータ及び軸取り付けアセンブリを備える。ツィータは、軸取り付けアセンブリに取り外し可能に接続される。オーディオスピーカは、軸取り付けアセンブリの持続的な回転の間、軸取り付けアセンブリとの電気的な導通を維持する第１の接続部材を備える。軸取り付けアセンブリは、ツィータの底部に接続されている端子板を備え、端子板はツィータとの電気的な導通を維持する。軸取り付けアセンブリは、その上部の窪み部分内に端子板及びツィータを収容する軸取り付け面板も備える。軸取り付けアセンブリは、軸取り付けスペーサと、軸取り付けアセンブリの持続的な回転の間、第１の接続部材との電気的な導通を維持する第２の接続部材とをさらに備える。【選択図】  図１Ａ
2009522931.tif 000002
【特許請求の範囲】
【請求項１】
フレームと、
上部及び底部を有するツィータと、
前記ツィータと取り外し可能に接続される軸取り付けアセンブリと、
前記軸取り付けアセンブリが回転している間、前記軸取り付けアセンブリとの電気的な導通を維持する第１の接続部材とを備えることを特徴とするオーディオスピーカ。
【請求項２】
前記軸取り付けアセンブリは、
前記ツィータの底部と接続し前記ツィータとの電気的な導通を維持する端子板と、
上部及び底部を有しこの上部の窪み部に前記端子板及び前記ツィータを収容する軸取り付け面板と、
前記軸取り付け面板の下に位置する軸取り付けスペーサと、
前記軸取り付けアセンブリが回転している間、前記第１の接続部材との電気的な導通を維持する第２の接続部材とをさらに備えることを特徴とする請求項１に記載のオーディオスピーカ。
【請求項３】
前記第１の接続部材は、少なくとも第１のピン及び第２のピンを有する雄プリント回路基板であり、
前記第２の接続部材は、少なくとも第１の同心トレース及び第２の同心トレースを上部に有する雌プリント回路基板であり、
前記同心トレースのそれぞれは、前記第１のピン又は前記第２のピンの一方と電気的に導通することを特徴とする請求項２に記載のオーディオスピーカ。
【請求項４】
第１の導電性パスに接続される正のリード線と第２の導電性パスに接続される負のリード線とを有する導電性ストリップをさらに備え、
前記正のリード線は、前記第１の同心トレース又は前記第２の同心トレースの一方と電気的に導通し、
前記負のリード線は、前記第１の同心トレース又は前記第２の同心トレースの他方と電気的に導通することを特徴とする請求項３に記載のオーディオスピーカ。
【請求項５】
前記導電性ストリップは、前記フレームの外表面に位置する取り付け位置まで延在することを特徴とする請求項４に記載のオーディオスピーカ。
【請求項６】
前記端子板は、
前記端子板及び前記ツィータ間を電気的に導通する第１の接続端子及び第２の接続端子と、
前記第２の接続端子と電気的に導通する第１の接続ワイヤと、
前記第１の接続端子と電気的に導通する第２の接続ワイヤとをさらに備え、
前記第１の接続ワイヤ及び該第２の接続ワイヤは、前記第２の接続部材と電気的に導通することを特徴とする請求項２に記載のオーディオスピーカ。
【請求項７】
前記軸取り付け面板の前記上部の平面は、前記オーディオスピーカの中心軸に対して垂直でないことを特徴とする請求項２に記載のオーディオスピーカ。
【請求項８】
前記軸取り付け面板を貫通すると共に、前記オーディオスピーカ内で終端する軸ネジをさらに備え、
前記軸ネジは、前記ツィータ及び前記軸取り付けアセンブリを時計回り及び／又は反時計回りに持続的に回転させることを特徴とする請求項２に記載のオーディオスピーカ。
【請求項９】
フェイズプラグをさらに備え、
前記軸ネジは、前記フェイズプラグ内で終端することを特徴とする請求項８に記載のオーディオスピーカ。
【請求項１０】
前記軸取り付けアセンブリは、前記フェイズプラグの上部窪み部に係止することを特徴とする請求項９に記載のオーディオスピーカ。
【請求項１１】
前記フェイズプラグは、前記オーディオスピーカ用のヒートシンクであることを特徴とする請求項９に記載のオーディオスピーカ。
【請求項１２】
前記軸取り付け面板を貫通すると共に、前記オーディオスピーカ内で終端する位置決めボルトをさらに備え、
前記位置決めボルトの締付けにより前記軸取り付けアセンブリの回転を防ぐ請求項２に記載のオーディオスピーカ。
【請求項１３】
フェイズプラグをさらに備え、
前記位置決めボルトは、前記フェイズプラグ内で終端することを特徴とする請求項１２に記載のオーディオスピーカ。
【請求項１４】
前記ツィータの上部は、前記ツィータの中心点からずれたディフューザリングをさらに備えることを特徴とする請求項１に記載のオーディオスピーカ。
【請求項１５】
前記ツィータ及び前記軸取り付けアセンブリは、前記オーディオスピーカから取り外し可能であることを特徴とする請求項１に記載のオーディオスピーカ。
【請求項１６】
前記軸取り付け面板は、前記ツィータ用のヒートシンクであることを特徴とする請求項２に記載のオーディオスピーカ。
【請求項１７】
前記第２の接続部材は、少なくとも第１のピン及び第２のピンを有する雄プリント回路基板であり、
前記第１の接続部材は、少なくとも第１の同心トレース及び第２の同心トレースを底部に有する雌プリント回路基板であり、
前記同心トレースのそれぞれは、前記第１のピン又は前記第２のピンの一方と電気的に導通することを特徴とする請求項２に記載のオーディオスピーカ。
【請求項１８】
第１の導電性パスに接続される正のリード線と、
第２の導電性パスに接続される負のリード線とを有する導電性ストリップをさらに備え、
前記正のリード線は、前記第１のピン又は前記第２のピンの一方と電気的に導通し、
前記負のリード線は、前記第１のピン又は前記第２のピンの他方と電気的に導通することを特徴とする請求項１７に記載のオーディオスピーカ。
【請求項１９】
前記フレームに取り外し可能に接続されると共に、回転することができるスピーカグリルと、
前記スピーカグリルを静止位置に固定する締付けボルトとをさらに備え、
前記スピーカグリルは、前記締付けボルトにより静止されていない場合、回転することができることを特徴とする請求項１に記載のオーディオスピーカ。
【請求項２０】
前記端子板は、前記ツィータの前記底部にスナップ嵌めされることを特徴とする請求項２に記載のオーディオスピーカ。
【請求項２１】
前記軸取り付けアセンブリは、
前記ツィータの底部と接続し、前記ツィータとの電気的な導通を維持する端子板と、
上部及び底部を有しこの上部の窪み部に前記端子板及び前記ツィータを収容する軸取り付け面板と、
前記軸取り付けアセンブリの持続的な回転の間、前記第１の接続部材との電気的な導通を維持する第２の接続部材と、
をさらに備えることを特徴とする請求項１に記載のオーディオスピーカ。
【発明の詳細な説明】
【技術分野】
【０００１】
本発明は包括的には、オーディオスピーカに関し、より詳細には、持続的に回転可能なツィータを有するオーディオスピーカに関する。
【０００２】
［関連出願の相互参照］
本願は、２００６年１月４日に出願された、「AUDIO SPEAKER HAVING A ROTATABLE TWEETER」と題する、同時係属中の米国特許仮出願第６０／７５６，１５８号（参照により全体が本明細書に援用される）に対する優先権を主張する。
【背景技術】
【０００３】
閉鎖環境内でのオーディオスピーカの使用は、スピーカの放射方向によって制限される。具体的には、音の放射を最適化するために、オーディオスピーカは、閉鎖環境内のリスナー（複数可）が位置する特定の場所へ方向付けられる。オーディオスピーカを方向付けるために、オーディオスピーカ全体は、スピーカの放射がリスナーに方向付けられるように置かれる。一例としては、室内において、内部にオーディオスピーカを有するスピカーキャビネットは、リスナーが位置するであろう場所に面するように角度を付けて配置される。
【０００４】
不都合にも、特定の閉鎖環境では、オーディオスピーカを配置するか又は設置する場所が予め決められている。一例としては、自動車内のオーディオスピーカを収容する開口は、自動車製造業者によって予め決められている。自動車の仕上げ段階で、オーディオスピーカは予め決められた開口内へ挿入され、結果として、音は、自動車の乗員又は運転手の方を向いていない方向へ放射されることになる。よく知られているように、自動車のスピーカは、ドアの底部、ダッシュボード及び自動車の後部に位置する。しかし、オーディオスピーカは、自動車の乗員又は運転手に面しない。その代わりに、自動車の乗員及び運転手は、音波が自動車内部で幾度か反射したオーディオ音を聴取する。
【発明の開示】
【発明が解決しようとする課題】
【０００５】
したがって、当業界においては今までのところ、未だ対処されていない上述の欠陥及び欠点に対処する必要がある。
【課題を解決するための手段】
【０００６】
本発明の実施の形態は、持続的に回転可能なツィータを有するオーディオスピーカを提供する。簡潔に述べると、本発明のオーディオスピーカの一実施例の形態は、構造において、特に以下のように実施することができる。本実施例のオーディオスピーカは、上部及び底部を有するツィータと、軸取り付けアセンブリとを備え、ツィータは軸取り付けアセンブリに取り外し可能に接続される。本実施例のオーディオスピーカは、オーディオスピーカ内の軸取り付けアセンブリの持続的な回転の間、軸取り付けアセンブリとの電気的な導通を維持することができる第１の接続部材も備える。
【０００７】
軸取り付けアセンブリは、ツィータの底部に接続することができる端子板を備え、端子板はツィータとの電気的な導通を維持する。軸取り付けアセンブリは、上部及び底部を有する軸取り付け面板も備え、軸取り付け面板は、この軸取り付け面板の上部の窪み部分内に端子板及びツィータを収容することができる。軸取り付けアセンブリは、軸取り付け面板の下に位置する軸取り付けスペーサと、オーディオスピーカ内の軸取り付けアセンブリの持続的な回転の間、第１の接続部材との電気的な導通を維持する第２の接続部材とをさらに備える。
【０００８】
本発明の他の特徴及び利点は、添付の図面及び以下の詳細な説明を検討すると、当業者には明らかであるか又は明らかとなるであろう。全てのそのような更なる特徴及び利点は、本明細書及び本発明の範囲内に含まれ、且つ添付の特許請求の範囲によって保護されることが意図される。
【０００９】
本発明の多くの実施態様は、添付の図面を参照してよりよく理解することができる。図面の構成要素は、必ずしも一定の縮尺で描かれておらず、その代わりに、本発明の原理を明瞭に示すことに重点が置かれている。さらに、図面において、同様の参照符号は、いくつかの図面を通して対応する部分を示す。
【発明を実施するための最良の形態】
【００１０】
この詳細な説明は、自動車内に配置される、回転可能なツィータを目的としたシステム（本明細書ではツィータアセンブリとも呼ばれる）を有するオーディオスピーカの実施例であるが、回転可能なツィータを有するオーディオスピーカを使用する場所は自動車には限定されない。また、本実施例のオーディオスピーカは、オーディオスピーカの音の放射を最適化するように、回転によって方向付けられることができるツィータを有することから利益を享受する、いかなる環境においても使用することができることに留意されたい。一例として、本実施例のオーディオスピーカは、室内の壁又は天井に取り付けられる。
【００１１】
図１Ａは、本発明のオーディオスピーカ１００の断面図であり、ツィータアセンブリ１２０がオーディオスピーカ１００に回転可能に接続されている。図１Ｂは、図１Ａのオーディオスピーカ１００を示す断面線画である。図１Ａ及び図１Ｂを参照すると、オーディオスピーカ１００は、バックプレート１０２、電磁石１０４、トッププレート１０６、フェイズプラグ１０８及びツィータアセンブリ１２０を備える。電磁石１０４は、バックプレート１０２及びトッププレート１０６の間で支持される。
【００１２】
当業者には既知であるように、フェイズプラグ１０８は固定される導波管である。フェイズプラグ１０８は、ツィータアセンブリ１２０を受け取る窪んだ中心部分を有する。バックプレート１０２、電磁石１０４、トッププレート１０６及びフェイズプラグ１０８の組合せは既知であるため、この組合せによってもたらされる機能のさらなる説明は本明細書ではしないが、この組合せがウーファの基本機能であることは述べておく。ツィータ及び軸取り付けアセンブリが３６０度以上に回転する構成となるための、ツィータアセンブリ１２０内の接続及びオーディオスピーカ１００との相互作用を本明細書においてさらに定義する。
【００１３】
オーディオスピーカ１００はフレーム１１２を備える。任意選択的に、フェイズプラグ１０８及びフレーム１１２は、ウーファ用のヒートシンクとして機能してもよい。図１Ｃは、本明細書ではウーファとも呼ばれる、ツィータアセンブリ１２０が接続されていない、図１Ａ及び図１Ｂのオーディオスピーカ１００を示す。図１Ｃに、フェイズプラグ１０８の窪んだ中央部分１０９を示す。図１Ｃに、以下でさらに詳細に説明する受け孔３２０も示す。
【００１４】
図２は、オーディオスピーカ１００の内部に位置するツィータアセンブリ１２０の概略断面図であり、３６０度にわたって回転する構成をツィータ１５０に提供することに関連する。図２によって示されるように、ツィータアセンブリ１２０は、ツィータ１５０、軸取り付けアセンブリ２００、雌プリント回路基板２８０及び導電性ストリップ２９０を備える。以下でさらに詳細に説明するように、ツィータ１５０を軸取り付けアセンブリ２００に接続することによって、ツィータ１５０が持続的に回転できるようになる。具体的には、ツィータ１５０を軸取り付けアセンブリ２００に接続することによって、ツィータ１５０及び軸取り付けアセンブリ２００間が固定的に接続される。軸取り付けアセンブリ２００は、オーディオスピーカ１００内で３６０度にわたって回転することができるため、ツィータ１５０がオーディオスピーカ１００内で３６０度にわたって回転できるようになる。
【００１５】
軸取り付けアセンブリ２００は、端子板２１０、軸取り付け面板２２０、軸取り付けスペーサ２５０及び雄プリント回路基板２６０を備える。軸取り付けアセンブリ２００の各部分は、本明細書において詳細に説明する。図３は、軸取り付けアセンブリ２００を示す。
【００１６】
図４は、ツィータ１５０を示す概略図である。図５Ａは、ツィータ１５０の上面図であり、図５Ｂは、ツィータ１５０の底面図である。図４、図５Ａ及び図５Ｂを参照すると、ツィータ１５０の底部１５２は、第１の導電性脚部１５４、第２の導電性脚部１５６及び裏面開口１５８を備える。裏面開口１５８は、ボルト（図示せず）を受け取るためのものである。第１の導電性脚部１５４は、ツィータ１５０への正の電気接続を提供し、第２の導電性脚部１５６は、ツィータ１５０への負の電気接続を提供する。
【００１７】
本発明の第１の実施形態によると、ツィータ１５０はディフューザリング１６２を備える。ディフューザリング１６２は、ツィータドーム１６４の上方でツィータ１５０の上面１６０上に位置する。ディフューザリング１６２の従来の使用法は、ディフューザリング１６２をツィータドームの中心線／中心点の真上に取り付けて、音響エネルギーの均一な放射を引き起こすというものである。ディフューザリング１６２の従来の使用法は、「FREQUENCY-DEPENDENT AMPLITUDE MODIFICATION DEVICES FOR ACOUSTIC SOURCES」と題する米国特許第５，６８９，５７３号（参照によってその全体が本明細書に援用される）に記載されている。
【００１８】
ディフューザリング１６２の従来の使用法とは異なり、本発明のツィータ１５０は、ディフューザリング１６２をツィータ１５０の中心線／中心点から、ずらしている。このようにディフューザリング１６２を中心線／中心点からずらすことにより、放射パターンがツィータドーム１６４の中心線／中心点から移動して傾く。一例として、図５Ａに示す上面図を見ると、ディフューザリング１６２は、ツィータ１５０の上面１６０の底部へ移動するように、ずらされている。この結果、ツィータ１５０の放射パターンは、ツィータ１５０の上面１６０の底部へ移動して傾く。
【００１９】
以下でさらに説明するように、ずらされるディフューザリング１６２と軸取り付け面板２２０の上面の傾きとの組合せによって、ツィータが取り付けられると、ツィータのエネルギーを方向付けることができる。一例として、オーディオスピーカ１００が車両のドアの前方下方に位置する場合、ツィータ１５０のエネルギーは、リスナーへ向けて後方上方へ方向付けられることができる。ツィータ１５０のエネルギーの方向制御は、少なくとも軸取り付けアセンブリ２００の回転によって提供される。
【００２０】
図６Ａは端子板２１０の上面図であり、図６Ｂは端子板２１０の底面図である。図６Ａ及び図６Ｂを参照すると、端子板２１０は、本体２１２、第１の接続端子２１４、第２の接続端子２１６、第１の接続ワイヤ２１８及び第２の接続ワイヤ２１９を備える。本体２１２は、本体２１２が軸取り付け面板２２０（図７Ａ及び図７Ｂ）の成形される中央窪み部分２２２（図７Ａ及び図７Ｂ）内に嵌まることができるような形状を有する。本体２１２は、プラスチック又はセラミック等（これらに限定されない）の非導電性材料から作製される。一例として、端子板２１０は、ポリ塩化ビニルから作製される。第１の接続端子２１４及び第２の接続端子２１６は、真鍮又は銅等（これらに限定されない）の導電性材料から形成される。第１の接続端子２１４及び第２の接続端子２１６は、ツィータ１５０の底部１５２にスナップ嵌めすることができる。具体的には、端子板２１０の第１の接続端子２１４はツィータ１５０の第１の導電性脚部１５４に接続し、端子板２１０の第２の接続端子２１６はツィータ１５０の第２の導電性脚部１５６に接続する。
【００２１】
端子板２１０の第１の接続ワイヤ２１８から第２の接続端子２１６へ導電パスが形成され、端子板２１０の第２の接続ワイヤ２１９から第１の接続端子２１４へ導電パスが形成される。本明細書において説明する導電パスによって、端子板２１０がツィータ１５０の底部にスナップ嵌めされると、端子板２１０の第１の接続ワイヤ２１８から、端子板２１０の第２の接続端子２１６へ、さらにツィータ１５０の第２の導電性脚部１５６へ導電パスが形成される。さらに、端子板２１０の第２の接続ワイヤ２１９から、端子板２１０の第１の接続端子２１４へ、さらにツィータ１５０の第１の導電性脚部１５４へ導電パスが形成される。
【００２２】
本発明の代替的な一実施形態によると、端子板２１０は、ツィータ１５０への導電パスが形成される限り、スナップ嵌め以外の方法でツィータ１５０に接続されてもよいことに留意されたい。
【００２３】
図７Ａは、軸取り付け面板２２０の上面図であり、図７Ｂは、軸取り付け面板２２０の底面図である。軸取り付け面板２２０は、軸取り付け面板２２０の中央窪み部分２２２内で端子板２１０を収容することができる。具体的には、端子板２１０の本体２１２は、軸取り付け面板２２０の中央窪み部分２２２内に係止し、軸取り付け面板２２０の中央窪み部分２２２は、端子板２１０の本体２１２を収容するような形状を有する。
【００２４】
軸取り付け面板２２０は、第１の開口２２４、第２の開口２２６、第３の開口２２８及び第４の開口２３０を備える。第１の開口２２４は、軸取り付け面板２２０の裏面２４０から入り、第１の開口２２４を通ってツィータ１５０の裏面開口１５８へ至るボルトを受け取ることができる。第２の開口２２６は、端子板２１０の第１の接続ワイヤ２１８及び第２の接続ワイヤ２１９を挿通させることができる接続ワイヤ開口である。端子板２１０の第１の接続ワイヤ２１８及び第２の接続ワイヤ２１９は、軸取り付け面板２２０に直接接続されないため、軸取り付け面板２２０を導電性材料から製造することができることに留意されたい。よって、軸取り付け面板２２０は、アルミニウム、プラスチック、セラミック、木、又は他の導電性材料及び／若しくは非導電性材料を含む（これらに限定されない）さまざまな材料から製造することができる。
【００２５】
第３の開口２２８は、軸取り付け面板２２０の上部２４２から、第３の開口２２８、軸取り付けスペーサ２５０の第１の開口２５２（図８Ａ及び図８Ｂ）、雄プリント回路基板２６０の開口及び雌プリント回路基板２８０の開口を通って横断し、オーディオスピーカ１００のフェイズプラグ１０８に至る軸ネジ２２９（図１Ｂ）を受け取ることができる。具体的には、軸ネジ２２９は、回転中に外れることを防止するために、フェイズプラグ１０８内に位置するまで、このフェイズプラグのねじ山付き孔にねじ留めされる肩付きネジである。肩付きネジは当業者に既知であるため、肩付きネジのさらなる説明は本明細書ではしない。
【００２６】
第４の開口２３０は、軸取り付け面板２２０の上部、第４の開口２３０及び軸取り付けスペーサ２５０の第２の開口２５４（図８Ａ及び図８Ｂ）を通って横断し、フェイズプラグ１０８の上部に至る位置決めボルト２４４（図１Ｂ）を受け取ることができる。本発明の第１の例示的な実施形態によると、フェイズプラグ１０８は、位置決めボルト２４４を受け取ることができる上部位置決め開口を有する。位置決めボルト２４４は、締付けられると、軸取り付けアセンブリ２００を所望の位置にロックする。具体的には、軸取り付けアセンブリ２２０は、ツィータ１５０及び軸取り付けアセンブリ２２０が適切に方向付けられた後で、位置決めボルト２４４を締付けることで軸取り付けアセンブリ２００及びフェイズプラグ１０８間に意図的な摩擦ロックを生じさせることによって、回転しないように固定される。ツィータ１５０及び軸取り付けアセンブリ２００は、軸ネジ２２９を取り外すと共に位置決めボルト２４４を緩めることによって、オーディオスピーカ１００から完全に取り外すことができることに留意されたい。
【００２７】
本発明の第１の例示的な実施形態によると、軸取り付け面板２２０の上部２４２の平面は、オーディオスピーカ１００の中心軸に対して垂直ではない。その代わりに、軸取り付け面板２２０は、オーディオスピーカ１００の中心軸に対して傾斜しており、軸取り付け面板２２０はオーディオスピーカ１００の中心へ内向きに傾斜している。軸取り付け面板２２０の角度がツィータ１５０をある角度に維持することによって、音の放射をよりよく制御することができる。一例として、ツィータ１５０をオーディオスピーカ１００の中心に向けて内向きの角度に維持する面板２２０と、ツィータ１５０の中心線／中心点からずれているディフューザリング１６２との組合せによって、音の放射を制御するツィータ１５０と軸取り付けアセンブリ２００との回転が生じる。したがって、オーディオスピーカ１００が、自動車工場において定められるスピーカ位置、すなわち車両のドアの前方下方位置に位置する場合、オーディオスピーカ１００のエネルギーをリスナーへ向けて後方上方へ方向付けることができる。この方向付けは、オーディオスピーカ１００内のツィータ１５０と軸取り付けアセンブリ２００との回転によってもたらされる。
【００２８】
本発明の代替的な一実施形態によると、軸取り付け面板２２０の上部２４２の平面は、中心軸に対して異なる角度にあってもよいことに留意されたい。任意選択的に、軸取り付け面板２２０は、ツィータ１５０用のヒートシンクとして機能してもよく、それによって、オーディオスピーカ１００の全体的なシステム管理が改善される。
【００２９】
図８Ａは、軸取り付けスペーサ２５０の上面図であり、図８Ｂは、軸取り付けスペーサ２５０の底面図である。図８Ａ及び図８Ｂを参照すると、軸取り付けスペーサ２５０は、第１の開口２５２及び第２の開口２５４を備える。第１の開口２５２は、軸ネジ２２９と、第１の接続ワイヤ２１８及び第２の接続ワイヤ２１９とを挿通させることができる。さらに、第２の開口２５４は、位置決めボルト２２４を挿通させることができる。軸取り付けスペーサ２５０は、ツィータ１５０及び軸取り付けアセンブリ２００がオーディオスピーカ１００から延出する距離も決定する。本発明の代替的な実施形態によると、軸取り付けスペーサ２５０は、軸取り付けアセンブリ２００から取り外されてもよく、又は、軸取り付け面板２２０の延長部として形成されてもよいことに留意されたい。
【００３０】
図９Ａは、雄プリント回路基板２６０の上面図であり、図９Ｂは、雄プリント回路基板２６０の底面図である。雄プリント回路基板２６０の上部は、第１の導電パッド２６２及び第２の導電パッド２６６を備える。第１の導電パッド２６２は、正の極性を有し端子板２１０の第２の接続ワイヤ２１９を受け取る。第１の導電性パス２６４が、第１の導電パッド２６２に接続される。第２の導電パッド２６６は、負の極性を有し端子板２１０の第１の接続ワイヤ２１８を受け取る。第２の導電性パス２６８が、第２の導電パッド２６６に接続される。
【００３１】
雄プリント回路基板２６０の底部は、導電ピンの第１のセット２７０及び導電ピンの第２のセット２７２を備える。導電ピンの第１のセット２７０は、第１の導電路２６４に導電的に接続され、導電ピンの第２のセット２７２は、第２の導電性パス２６８に導電的に接続される。結果として、導電ピンの第１のセット２７０は正の極性を有し、導電ピンの第２のセット２７２は負の極性を有する。導電ピンの第１のセット２７０及び導電ピンの第２のセット２７２は、それぞれ３本の導電ピンを有するように示されているが、導電ピンの数は、より多くても少なくてもよいことに留意されたい。
【００３２】
図１０Ａは、雌プリント回路基板２８０の上面図であり、図１０Ｂは、雌プリント回路基板２８０の底面図である。雌プリント回路基板２８０の上部は、第１の同心トレース２８２及び第２の同心トレース２８４を備える。第１の同心トレース２８２は、ピンの第１のセット２７０を受け取ることができ正の極性を有する。第２の同心トレース２８４は、ピンの第２のセット２７２を受け取ることができ負の極性を有する。第１の同心トレース２８２及び第２の同心トレース２８４は、一方の同心トレースが他方の同心トレースの外側に位置するように離間している。しかし、２つの同心トレースのどちらが外側又は内側に位置するかは重要ではないことに留意されたい。
【００３３】
雌プリント回路基板２８０の底部を参照すると、雌プリント回路基板２８０は、第１の導電接点２８６及び第２の導電接点２８８を備える。第１の導電接点２８６は正の極性を有し、第２の導電接点２８８は負の極性を有する。導電性ストリップ２９０が第１の導電接点２８６及び第２の導電接点２８８に接続され、導電性ストリップ２９０の正のリード線が第１の導電接点２８６に接続され、導電性ストリップ２９０の負のリード線が第２の導電接点２８８に接続される。
【００３４】
導電性ストリップ２９０は平坦であり且つ可撓性があり、２層の非導電性材料間に位置する第１の導電性パス及び第２の導電性パスを備える。一例として、第１の導電性パス及び第２の導電性パスは、平坦な金属導体とすることができる。導電性ストリップ２９０の正のリード線は、導電性ストリップ２９０内の第１の導電性パスに接続され、導電性ストリップ２９０の負のリード線は、導電性ストリップ２９０内の第２の導電性パスに接続される。
【００３５】
ツィータアセンブリ１２０が雌プリント回路基板２８０の上部に組み付けられると、ピンの第１のセット２７０及び第２のセット２７２が、第１の同心トレース２８２及び第２の同心トレース２８４とそれぞれ導電的に導通する。ピンの第１のセット２７０及び第２のセット２７２を第１の同心トレース２８２及び第２の同心トレース２８４へ押し付ける圧力は、たとえば一連のばねによって提供することができる。一例として、ばねの第１のセットが、ピンの第１のセット２７０に対して第１の同心トレース２８２を押下させることができ、ばねの第２のセットが、ピンの第２のセット２７２に対して第２の同心トレース２８４を押下させることができる。代替的に、ピン及びトレース間の導電的な導通を維持するために、ゴムバンパ又は他の材料を提供してもよい。
【００３６】
雄プリント回路基板２６０及び雌プリント回路基板２８０間の導電的な導通は、ピン／同心トレースの関係によって維持されるため、内部にツィータ１５０を有する軸取り付けアセンブリ２００では、回転が持続的且つ無限に変化することができ、３６０度の回転も固定してしまうことなく設定することができる。本発明の代替的な一実施形態によると、雄プリント回路基板２６０及び雌プリント回路基板２８０は、反対の位置にあってもよく、その場合、雌プリント回路基板２８０が代わりに軸取り付けアセンブリ２００の一部であり、雄プリント回路基板２６０が導電性ストリップ２９０に接続されることに留意されたい。さらに、ピンの代わりに、同心トレースへの接続を維持することができるさまざまな導電部材を用いてもよい。
【００３７】
導電性ストリップ２９０は、オーディオスピーカ１００のフレーム１１２の外側部分から、導電フレーム１１２の外側側部に位置する取り付け位置（図示せず）へ延在する。取り付け位置には、正の接続ポート（図示せず）及び負の接続ポート（図示せず）がある。
【００３８】
本発明の代替的な一実施形態によると、図１１によって示されるように、オーディオスピーカ１００から完全に取り外すことなく回転することができる、スピーカグリル３００が提供される。締付けボルト３１０がこれを可能にし、任意選択的には、締付けボルト３１０は、スピーカグリル３００をオーディオスピーカ１００から完全に取り外すことができないようにしてもよい。締付けボルト３１０は、オーディオスピーカのフレーム１１２の受け孔３２０によって受け取られることができる。
【００３９】
本発明の上述の実施形態は、本発明の原理を明確に理解するために記載されているにすぎないことを強調しておく。本発明の精神及び原理から実質的に逸脱することなく、本発明の上述の実施形態に対して多くの変形及び変更を行うことができる。全てのそのような変更及び変形は、本開示及び本発明の範囲内に含まれ、添付の特許請求の範囲によって保護されることが意図される。
【図面の簡単な説明】
【００４０】
【図１】Ａは本発明のオーディオスピーカの断面図であり、Ｂは本発明のオーディオスピーカの断面線画であり、Ｃはツィータアセンブリを接続していない本発明のオーディオスピーカを示す図である。
【図２】ツィータアセンブリの概略断面図である。
【図３】軸取り付けアセンブリをさらに示す図である。
【図４】ツィータの概略図である。
【図５】Ａはツィータの上面図であり、Ｂはツィータの底面図である。
【図６】Ａは端子板の上面図であり、Ｂは端子板の底面図である。
【図７】Ａは軸取り付け面板の上面図であり、Ｂは面板の底面図である。
【図８】Ａは軸取り付けスペーサの上面図であり、Ｂは軸取り付けスペーサの底面図である。
【図９】Ａは雄プリント回路基板の上面図であり、Ｂは雄プリント回路基板の底面図である。
【図１０】Ａは雌プリント回路基板の上面図であり、Ｂは雌プリント回路基板の底面図である。
【図１１】スピーカグリルを示す図である。
【図１Ａ】
2009522931.tif 000003
【図１Ｂ】
2009522931.tif 000004
【図１Ｃ】
2009522931.tif 000005
【図２】
2009522931.tif 000006
【図３】
2009522931.tif 000007
【図４】
2009522931.tif 000008
【図５Ａ】
2009522931.tif 000009
【図５Ｂ】
2009522931.tif 000010
【図６Ａ】
2009522931.tif 000011
【図６Ｂ】
2009522931.tif 000012
【図７Ａ】
2009522931.tif 000013
【図７Ｂ】
2009522931.tif 000014
【図８Ａ】
2009522931.tif 000015
【図８Ｂ】
2009522931.tif 000016
【図９Ａ】
2009522931.tif 000017
【図９Ｂ】
2009522931.tif 000018
【図１０Ａ】
2009522931.tif 000019
【図１０Ｂ】
2009522931.tif 000020
【図１１】
2009522931.tif 000021
【国際調査報告】
2009522931.tif 000022